(57)【要約】【課題】ユーザの視線に応じたスクロールの制御を行ない、情報の画像の中からユーザが目的の項目を探しやすくなる情報処理装置等を提供する。【解決手段】複数の項目を含む情報の一部を画像として表示し、画像を第１の速度にてスクロールにより移動させることで項目を予め定められた順序で表示し、画像を移動させる旨のユーザからの移動指示操作を受け付けるユーザインタフェース３００と、画像を移動させているときに画像に対するユーザの視線が変化した場合は、移動の速度を第１の速度より遅くする制御を行ない、画像を移動させているときに当該画像に対するユーザの視線が変化しない場合は、移動の速度を前記第１の速度より速い第４の速度にて移動する制御を行なう制御装置４００と、を備える情報処理装置。【選択図】図３
2020109683.tif 000002
【特許請求の範囲】
【請求項１】
複数の項目を含む情報の一部を画像として表示し、当該画像を第１の速度にてスクロールにより移動させることで当該項目を予め定められた順序で表示する表示部と、
前記画像を移動させる旨のユーザからの移動指示操作を受け付ける操作部と、
前記画像を移動させているときに当該画像に対するユーザの視線が変化した場合は、移動の速度を前記第１の速度より遅い第３の速度にて移動する制御を行ない、当該画像を移動させているときに当該画像に対するユーザの視線が変化しない場合は、移動の速度を当該第１の速度より速い第４の速度にて移動する制御を行なう移動制御部と、
を備える情報処理装置。
【請求項２】
ユーザの視線を検知する検知部と、
複数の項目を含む情報の一部を画像として表示し、当該画像を第１の速度にてスクロールにより移動させることで当該項目を予め定められた順序で表示する表示部と、
前記画像を移動させる旨のユーザからの移動指示操作を受け付ける操作部と、
前記画像を移動させているときに前記検知部がユーザの視線が当該画像を表示する前記表示部内で変化したことを検知した場合は、移動の速度を前記第１の速度より遅い第３の速度にて移動する制御を行なう移動制御部と、
を備える情報処理システム。
【請求項３】
記録材に画像を形成する画像形成部と、
複数の項目を含む自装置に関する情報の一部を画像として表示し、当該画像を第１の速度にてスクロールにより移動させることで当該項目を予め定められた順序で表示する表示部と、
前記画像を移動させる旨のユーザからの移動指示操作を受け付ける操作部と、
前記画像を移動させているときにユーザの視線が当該画像を表示する前記表示部内で変化した場合は、移動の速度を前記第１の速度より遅い第３の速度にて移動する制御を行なう移動制御部と、
を備える画像形成装置。
【発明の詳細な説明】
【技術分野】
【０００１】
本発明は、情報処理装置、情報処理システム、画像形成装置に関する。
【背景技術】
【０００２】
情報処理装置の表示部において宛て先のリスト等の情報を画像として表示するときがある。そして情報の画像が表示部に収まり切らない場合には、一部の画像を表示部に表示させ、ユーザは表示される画像をスクロールさせることで情報を閲覧する方法が一般的に用いられている。
【０００３】
特許文献１には、予め並び順が規定されている複数の操作入力項目の一部を表示部に表示し、その一部の位置（表示位置）を並び順の方向に従って移動させる移動指示操作を受けたら、設定済みの操作入力項目と禁則関係にある操作入力項目の表示時間が、他の操作入力項目の表示時間よりも短くなるように該移動を行う操作表示装置が開示されている。
【先行技術文献】
【特許文献】
【０００４】
【特許文献１】特開２０１５−６９２７３号公報
【発明の概要】
【発明が解決しようとする課題】
【０００５】
情報処理装置の表示部に表示された画像からユーザが目的の項目をスクロール操作することにより探す場合、ページ数が多いと何度もスクロールしなければならない。また、スクロール操作を繰り返しているうちに、現在のページに目的の項目があったにも関わらずつい次のページへスクロールしてしまうことがある。
本発明は、ユーザの視線に応じたスクロールの制御を行ない、情報の画像の中からユーザが目的となる項目を探しやすくなる情報処理装置等を提供することを目的とする。
【課題を解決するための手段】
【０００６】
請求項１に記載の発明は、複数の項目を含む情報の一部を画像として表示し、当該画像を第１の速度にてスクロールにより移動させることで当該項目を予め定められた順序で表示する表示部と、前記画像を移動させる旨のユーザからの移動指示操作を受け付ける操作部と、前記画像を移動させているときに当該画像に対するユーザの視線が変化した場合は、移動の速度を前記第１の速度より遅い第３の速度にて移動する制御を行ない、当該画像を移動させているときに当該画像に対するユーザの視線が変化しない場合は、移動の速度を当該第１の速度より速い第４の速度にて移動する制御を行なう移動制御部と、を備える情報処理装置である。
請求項２に記載の発明は、ユーザの視線を検知する検知部と、複数の項目を含む情報の一部を画像として表示し、当該画像を第１の速度にてスクロールにより移動させることで当該項目を予め定められた順序で表示する表示部と、前記画像を移動させる旨のユーザからの移動指示操作を受け付ける操作部と、前記画像を移動させているときに前記検知部がユーザの視線が当該画像を表示する前記表示部内で変化したことを検知した場合は、移動の速度を前記第１の速度より遅い第３の速度にて移動する制御を行なう移動制御部と、を備える情報処理システムである。
請求項３に記載の発明は、記録材に画像を形成する画像形成部と、複数の項目を含む自装置に関する情報の一部を画像として表示し、当該画像を第１の速度にてスクロールにより移動させることで当該項目を予め定められた順序で表示する表示部と、前記画像を移動させる旨のユーザからの移動指示操作を受け付ける操作部と、前記画像を移動させているときにユーザの視線が当該画像を表示する前記表示部内で変化した場合は、移動の速度を前記第１の速度より遅い第３の速度にて移動する制御を行なう移動制御部と、を備える画像形成装置である。
【発明の効果】
【０００７】
請求項１の発明によれば、ユーザの関心が小さい箇所で移動の速度を速くし、ユーザが目的の項目を探す時間を短くすることができる。
請求項２の発明によれば、ユーザの視線に応じたスクロールの制御を行ない、情報の画像の中からユーザが目的の項目を探しやすくなる情報処理システムが提供できる。
請求項３の発明によれば、ユーザの視線に応じたスクロールの制御を行ない、自装置に関する情報の画像の中からユーザが目的の項目を探しやすくなる画像形成装置が提供できる。
【図面の簡単な説明】
【０００８】
【図１】本実施の形態の情報処理システムについて示した図である。
【図２】本実施の形態に係る画像形成装置の外観図である。
【図３】本実施の形態に係る画像形成装置の内部構造を示す図である。
【図４】ユーザインタフェースに表示される画像の一例を示した図である。
【図５】制御装置の機能構成例を示したブロック図である。
【図６】制御装置の動作の第１の実施形態について説明したフローチャートである。
【図７】（ａ）〜（ｄ）は、ユーザインタフェースに表示される画像の一例を示した図である。
【図８】制御装置の動作の第２の実施形態について説明したフローチャートである。
【図９】（ａ）〜（ｂ）は、ユーザインタフェースに表示される画像の一例を示した図である。
【発明を実施するための形態】
【０００９】
以下、添付図面を参照して、実施の形態について詳細に説明する。
【００１０】
＜情報処理システムの全体構成の説明＞
図１は、本実施の形態の情報処理システムについて示した図である。
図示するように情報処理システムＳは、ユーザの視線を検知する検知部の一例としての検知装置５００と、記録材に画像を形成する画像形成装置（情報処理装置）１とから構成されている。
【００１１】
＜検知装置５００の説明＞
検知装置５００は、ユーザを撮影するカメラ５１０と、カメラ５１０により撮影された画像に基づいてユーザの視線を求める処理装置５２０とを備える。
【００１２】
カメラ５１０は、例えば、入射した光を収束する光学系と、光学系により収束された光を検出する撮像手段であるイメージセンサとを備える。
光学系は、単一のレンズまたは複数のレンズを組み合わせて構成される。レンズの組み合わせおよびレンズ表面に施されたコーティング等により、各種の収差を除去されている。イメージセンサは、ＣＣＤ（Charge Coupled Device）やＣＭＯＳ（Complementary Metal Oxide Semiconductor）等の撮像素子を配列して構成される。
【００１３】
処理装置５２０は、カメラ５１０により撮影された画像を解析し、これを基にユーザの視線を検知する。ここでユーザの視線とは、例えば、ユーザが何れの箇所を見ているかの情報であるが、その他にも例えば、瞳孔の大きさについての情報、凝視しているか否かの情報なども含む。
処理装置５２０は、例えば、カメラ５１０により撮影された画像からユーザの顔や目の部分を抽出し、顔の向きや目の中の瞳の位置などからユーザの視線を検出する。
【００１４】
＜画像形成装置１の全体構成の説明＞
図２は、本実施の形態に係る画像形成装置１の外観図である。図３は、本実施の形態に係る画像形成装置１の内部構造を示す図である。
画像形成装置１は、原稿の画像を読み取る画像読取装置１００と、記録材（以下、代表して「用紙」と記す場合もある。）上に画像を記録する画像記録装置２００と、を備えている。また、画像形成装置１は、ユーザからの操作入力の受付やユーザに対する各種情報の表示を行うユーザインタフェース（ＵＩ）３００を備えている。さらに画像形成装置１は、画像形成装置１全体の動作を制御する制御装置４００を備える。
【００１５】
画像読取装置１００は、画像形成装置１の上部に配置され、画像記録装置２００は、画像読取装置１００の下側に配置され、制御装置４００を内蔵している。ユーザインタフェース３００は、画像形成装置１の上部の手前側、つまり画像読取装置１００の後述する画像読取部１１０の手前側に配置されている。
【００１６】
まずは、画像読取装置１００について説明する。
画像読取装置１００は、原稿の画像を読み取る画像読取部１１０と、この画像読取部１１０に原稿を搬送する原稿搬送部１２０と、を備えている。原稿搬送部１２０は、画像読取装置１００の上部に配置され、画像読取部１１０は、画像読取装置１００の下部に配置されている。
原稿搬送部１２０は、原稿を収容する原稿収容部１２１と、この原稿収容部１２１から搬送された原稿が排出される原稿排出部１２２とを有し、原稿収容部１２１から原稿排出部１２２へ原稿を搬送する。原稿搬送部１２０は、原稿自動送り装置（ＡＤＦ：Auto Document Feeder）とも呼ばれる。
【００１７】
画像読取部１１０は、プラテンガラス１１１と、光を原稿の被読取面（画像面）へ照射する光照射ユニット１１２と、光照射ユニット１１２から原稿の被読取面へ光Ｌが照射されて原稿の被読取面で反射した光Ｌを導く導光ユニット１１３と、導光ユニット１１３によって導かれた光Ｌの光学像を結像する結像レンズ１１４と、を備えている。また、画像読取部１１０は、結像レンズ１１４によって結像された光Ｌを光電変換するＣＣＤ（Charge Coupled Device）イメージセンサ等の光電変換素子で構成され、結像された光学像を検出する検出部１１５と、検出部１１５と電気的に接続されて、検出部１１５によって得られた画像情報としての電気信号が送られる画像処理部１１６と、を備えている。
画像読取部１１０は、原稿搬送部１２０によって搬送される原稿の画像、及びプラテンガラス１１１に載せられた原稿の画像を読み取る。
【００１８】
次に、画像記録装置２００について説明する。
画像記録装置２００は、用紙Ｐに画像を形成する画像形成部２０と、画像形成部２０に対して用紙Ｐを供給する用紙供給部６０と、画像形成部２０にて画像が形成された用紙Ｐを排出する用紙排出部７０と、画像形成部２０にて一方の面に画像が形成された用紙Ｐの表裏を反転させて再度画像形成部２０に向けて搬送する反転搬送部８０と、を備えている。
【００１９】
画像形成部２０は、一定の間隔を置いて並列的に配置されるイエロー(Ｙ）、マゼンタ(Ｍ）、シアン(Ｃ）、黒(Ｋ）の４つの画像形成ユニット２１Ｙ、２１Ｍ、２１Ｃ、２１Ｋを備えている。各画像形成ユニット２１は、感光体ドラム２２と、感光体ドラム２２の表面を一様に帯電する帯電器２３と、後述する光学系ユニット５０によるレーザ照射によって形成された静電潜像を予め定められた色成分トナーで現像し可視化する現像器２４とを備えている。また、画像形成部２０には、画像形成ユニット２１Ｙ、２１Ｍ、２１Ｃ、２１Ｋの現像器２４に対して各色のトナーを供給するためのトナーカートリッジ２９Ｙ、２９Ｍ、２９Ｃ、２９Ｋが設けられている。
【００２０】
画像形成部２０は、画像形成ユニット２１Ｙ、２１Ｍ、２１Ｃ、２１Ｋの下方に、画像形成ユニット２１Ｙ、２１Ｍ、２１Ｃ、２１Ｋの感光体ドラム２２に対してレーザ光を照射する光学系ユニット５０を備えている。光学系ユニット５０は、図示しない半導体レーザ、変調器の他、半導体レーザから出射されたレーザ光を偏向走査するポリゴンミラー（不図示）と、レーザ光を通過するガラス製のウィンドウ（不図示）と、各構成部材を密閉するためのフレーム（不図示）とを備えている。
【００２１】
また、画像形成部２０は、画像形成ユニット２１Ｙ、２１Ｍ、２１Ｃ、２１Ｋの感光体ドラム２２に形成された各色のトナー像を中間転写ベルト３１上に多重転写させる中間転写ユニット３０と、中間転写ユニット３０上に重畳されて形成されたトナー像を用紙Ｐに転写する二次転写ユニット４０と、用紙Ｐ上に形成されたトナー像を加熱および加圧して定着する定着装置４５と、を備えている。
【００２２】
中間転写ユニット３０は、中間転写ベルト３１と、この中間転写ベルト３１を駆動するドライブローラ３２と、中間転写ベルト３１に一定のテンションを付与するテンションローラ３３と、を備えている。また、中間転写ユニット３０は、各感光体ドラム２２と中間転写ベルト３１を挟んで対向して感光体ドラム２２上に形成されたトナー像を中間転写ベルト３１上に転写するための複数（本実施の形態においては４つ）の一次転写ローラ３４と、中間転写ベルト３１を介して後述する二次転写ローラ４１と対向するバックアップローラ３５とを備えている。
【００２３】
中間転写ベルト３１は、ドライブローラ３２、テンションローラ３３、複数の一次転写ローラ３４、バックアップローラ３５および従動ローラ３６などの複数の回転部材に張りかけられている。そして、中間転写ベルト３１は、駆動モータ（不図示）によって回転駆動されるドライブローラ３２により、矢印方向に予め定められた速度で循環駆動される。この中間転写ベルト３１は、例えば、ゴムまたは樹脂にて成形されたものが使用される。
また、中間転写ユニット３０は、中間転写ベルト３１上に存在する残留トナー等を除去するクリーニング装置３７を備えている。クリーニング装置３７は、トナー像の転写工程が終了した後の中間転写ベルト３１の表面から残留トナーや紙粉等を除去する。
【００２４】
二次転写ユニット４０は、二次転写位置に設けられ中間転写ベルト３１を介してバックアップローラ３５を押圧し、用紙Ｐ上に画像を二次転写する二次転写ローラ４１を備えている。二次転写ローラ４１と、中間転写ベルト３１を介して二次転写ローラ４１と対向するバックアップローラ３５とで、中間転写ベルト３１に転写されたトナー画像が用紙Ｐに転写される二次転写位置が構成される。
定着装置４５は、中間転写ユニット３０によって二次転写された用紙Ｐ上の画像(トナー像）を、加熱定着ローラ４６と加圧ローラ４７とにより、熱および圧力を用いて用紙Ｐに定着させる。
【００２５】
用紙供給部６０は、画像が形成される用紙を収容する用紙収容部６１と、用紙収容部６１の各々に収容された用紙Ｐを送り出す送出ロール６２と、送出ロール６２にて送り出された用紙Ｐが搬送される搬送路６３と、搬送路６３に沿って配置され送出ロール６２によって送り出された用紙Ｐを二次転写位置へ搬送する搬送ロール６４、６５、６６と、を備えている。また用紙供給部６０は、手差しにより用紙を供給することができる手差しトレイ６７をさらに備えている。手差しトレイ６７は、折りたたみが可能であり、使用しない状態では折りたたんでおき、使用するときには開いて用紙Ｐをセットすることができる。図３では、手差しトレイ６７は、折りたたんだ状態を図示している。
【００２６】
用紙排出部７０は、画像形成部２０の上方に設けられて、画像形成部２０にて画像が形成された用紙Ｐを積載する第１の積載トレイ７１と、この第１の積載トレイ７１と画像読取装置１００との間に設けられて、画像形成部２０にて画像が形成された用紙を積載する第２の積載トレイ７２と、を備えている。
用紙排出部７０は、定着装置４５よりも搬送方向下流側に設けられて、トナー画像が定着された用紙Ｐを搬送する搬送ロール７５と、この搬送ロール７５の搬送方向下流側に設けられて、用紙Ｐの搬送方向を切り替える切替ゲート７６と、を備えている。また、用紙排出部７０は、切替ゲート７６の搬送方向下流側に、切替ゲート７６によって切り替えられた搬送方向の一方側（図３における右側）に搬送される用紙Ｐを第１の積載トレイ７１に排出する第１の排出ロール７７を備えている。また、用紙排出部７０は、切替ゲート７６の搬送方向下流側に、切替ゲート７６によって切り替えられた搬送方向の他方側（図３における上側）に搬送される用紙Ｐを搬送する搬送ロール７８と、搬送ロール７８によって搬送される用紙Ｐを第２の積載トレイ７２に排出する第２の排出ロール７９と、を備えている。
【００２７】
反転搬送部８０は、定着装置４５の側方に、搬送ロール７８を第２の積載トレイ７２に用紙Ｐを排出する方向とは反対の方向に回転させることで反転された用紙Ｐが搬送される反転搬送路８１を備えている。この反転搬送路８１には、反転搬送路８１に沿って複数の搬送ロール８２が設けられている。これらの搬送ロール８２によって搬送された用紙Ｐは、搬送ロール８２によって、再度二次転写位置へ送り込まれる。
【００２８】
また、画像記録装置２００は、画像形成部２０、用紙供給部６０、用紙排出部７０、反転搬送部８０および制御装置４００を、直接的または間接的に支持する装置本体フレーム１１と、この装置本体フレーム１１に取り付けられて画像形成装置１の外面を形成する装置筐体１２と、を備えている。
装置本体フレーム１１は、画像形成装置１における横方向の一方の端部側で、内部に、切替ゲート７６、第１の排出ロール７７、搬送ロール７８および第２の排出ロール７９などを備えるとともに上下方向に伸びて、画像読取装置１００を支持する読取装置支持部１３を備えている。読取装置支持部１３は、装置本体フレーム１１における奥側の部位と協働して画像読取装置１００を支持する。
【００２９】
また、画像記録装置２００は、装置筐体１２の一部として、画像形成部２０の手前側に設けられるとともに、装置本体フレーム１１に対して開閉可能に装着されるフロントカバー１５を備えている。
ユーザは、フロントカバー１５を開くことで、画像形成部２０の中間転写ユニット３０やトナーカートリッジ２９Ｙ、２９Ｍ、２９Ｃ、２９Ｋを新しい物と取り替えることが可能となっている。
【００３０】
ユーザインタフェース３００は、例えばタッチパネルである。ユーザインタフェース３００をタッチパネルにすることで、画像形成装置１の画像形成条件などの各種情報はタッチパネルに表示される。またユーザは、タッチパネルをタッチすることで画像形成条件などの入力操作を行う。即ちユーザインタフェース３００は、自装置である画像形成装置１に関する情報を表示する表示部として機能するとともに、ユーザからの操作を受け付ける操作部として機能する。なおユーザインタフェース３００は、タッチパネルに限られるものではなく表示部としての機能と、操作部としての機能を分けてもよい。つまりユーザインタフェース３００は、液晶ディスプレイ等からなり画像形成装置１に関する情報を表示する表示部と、物理キー等からなりユーザからの操作を受け付ける操作部とを別々に備える構成であってもよい。
【００３１】
＜画像形成装置１の動作の説明＞
以上のように構成された画像形成装置１は、以下のように動作する。
例えば、ユーザは、画像形成装置１を使用して原稿のコピーを行なうことができる。即ち、画像読取装置１００によって読み取られた原稿の画像データを基に、画像記録装置２００により画像を用紙Ｐ上に形成することで原稿をコピーすることができる。またユーザは、通信回線Ｎに接続する図示しないパーソナルコンピュータ（ＰＣ）等から印刷のジョブを画像形成装置１に送信することでプリントを行なうことができる。即ち、通信回線Ｎを介して印刷のジョブを受信し、印刷のジョブに含まれる画像データを基に、画像記録装置２００により画像を用紙Ｐ上に形成することでプリントすることができる。さらにユーザは、ファクシミリの送受信を行なうことができる。即ち、画像読取装置１００によって読み取られた原稿の画像データを通信回線Ｎを介して送信できる。あるいはユーザは、原稿の画像データを保存することができる。即ち、原稿の画像データを画像形成装置１内部や通信回線Ｎに接続したＰＣに保存できる。
【００３２】
ここでは、ユーザが原稿のコピーやプリントを行なう場合を例に取り、画像形成装置１の動作について詳しく説明を行なう。
画像読取装置１００によって読み取られた原稿の画像や、ＰＣ等から受信した画像データは、予め定められた画像処理が施され、画像処理が施された画像データは、イエロー（Ｙ）、マゼンタ（Ｍ）、シアン（Ｃ）、黒（Ｋ）の４色の色材階調データに変換され、光学系ユニット５０に出力される。
【００３３】
光学系ユニット５０は、入力された色材階調データに応じて、半導体レーザ（図示せず）から出射されたレーザ光を、ｆ−θレンズ（不図示）を介してポリゴンミラーに出射する。ポリゴンミラーでは、入射されたレーザ光を各色の階調データに応じて変調し、偏向走査して、図示しない結像レンズおよび複数枚のミラーを介して画像形成ユニット２１Ｙ、２１Ｍ、２１Ｃ、２１Ｋの感光体ドラム２２に照射する。
【００３４】
画像形成ユニット２１Ｙ、２１Ｍ、２１Ｃ、２１Ｋの感光体ドラム２２では、帯電器２３で帯電された表面が走査露光され、静電潜像が形成される。形成された静電潜像は、各々の画像形成ユニット２１Ｙ、２１Ｍ、２１Ｃ、２１Ｋにて、イエロー（Ｙ）、マゼンタ（Ｍ）、シアン（Ｃ）、黒（Ｋ）の各色のトナー像として現像される。画像形成ユニット２１Ｙ、２１Ｍ、２１Ｃ、２１Ｋの感光体ドラム２２上に形成されたトナー像は、中間転写体である中間転写ベルト３１上に多重転写される。
【００３５】
一方、用紙供給部６０では、画像形成のタイミングに合わせて送出ロール６２が回転して用紙収容部６１に収容されている用紙Ｐを取り上げ、搬送路６３を介して搬送ロール６４、６５にて搬送される。その後、トナー像が形成された中間転写ベルト３１の移動タイミングに合わせて搬送ロール６６が回転し、用紙Ｐは、バックアップローラ３５および二次転写ローラ４１によって形成される二次転写位置に搬送される。二次転写位置にて、下方から上方に向けて搬送される用紙Ｐには、圧接力および予め定められた電界を用いて、４色が多重されているトナー像が副走査方向に順次、転写される。そして、各色のトナー像が転写された用紙Ｐは、定着装置４５によって熱および圧力で定着処理を受けた後に排出され、第１の積載トレイ７１あるいは第２の積載トレイ７２に積載される。
【００３６】
両面印刷の要求があった場合には、一方の面に画像が形成された用紙Ｐは、反転搬送部８０にて表裏が反転するように搬送され、再度二次転写位置に送られる。そして、二次転写位置にて、用紙Ｐの他方の面にトナー像が転写され、定着装置４５にて転写された画像が定着される。その後、両面に画像が形成された用紙Ｐは、排出され、第１の積載トレイ７１あるいは第２の積載トレイ７２に積載される。
【００３７】
またユーザインタフェース３００は、以下のように動作する。
図４は、ユーザインタフェース３００に表示される画像の一例を示した図である。
ユーザインタフェース３００に表示される情報は、上述したように自装置である画像形成装置１に関する情報である。具体的には、ユーザが原稿のコピーを行なう際やプリントを行なう際には、ユーザインタフェース３００には、使用する用紙Ｐの大きさや片面印刷／両面印刷等の画像形成条件が表示される。またファクシミリを行なう際には、ファクシミリの送付先の短縮番号や宛て先の名称等からなるリストが表示される。さらに読み取った画像データを保存する際には、保存先のリストが表示される。
【００３８】
図示する例では、ユーザインタフェース３００がファクシミリの宛て先のリストを宛て先一覧として表示している場合を示している。この場合、ユーザインタフェース３００は、宛て先の短縮番号と宛て先の名称とを１つの項目とし、複数の項目を図中上下方向に並べて表示している。
【００３９】
このときユーザインタフェース３００は、複数の項目を含む情報の一部を画像として表示している。即ち、項目の数が多い場合、全ての項目を一度にユーザインタフェース３００に表示することはできない。そのため全ての項目のうち一部を表示し、他の項目は、画像をスクロールにより移動（遷移）させることで予め定められた順序で表示する。この場合、スクロールは図中上下方向に行なわれる。スクロールは、画像を予め定められた画素数分移動させることで行なってもよく、表示されている画像を１ページとし、ページを順次切替えることで行なってもよい。
【００４０】
スクロールは、ユーザインタフェース３００が、画像を移動させる旨のユーザからの移動指示操作を受け付けることにより開始される。
移動指示操作は、具体的には、ユーザインタフェース３００がタッチパネルであった場合は、ユーザがタッチパネルに対しスワイプする操作である。なおこれに限られるものではなく、例えば、タッチパネルにスクロールバーを表示し、スクロールバーをユーザがタッチやドラッグ等する操作を移動指示操作としてもよい。またユーザインタフェース３００が液晶ディスプレイと物理キーとに分かれて構成される場合は、画像のスクロールを行なう機能を与えられた物理キーを、ユーザが押下する操作を移動指示操作とすることができる。
【００４１】
なおスクロールは、ユーザインタフェース３００が、画像の移動を停止させる旨のユーザからの停止指示操作を受け付けることにより停止する。
停止指示操作は、具体的には、ユーザインタフェース３００がタッチパネルであった場合は、ユーザがタッチパネルに対しタッチする操作である。またタッチパネルにスクロールバーを表示する場合は、ユーザがタッチやドラッグ等した指をタッチパネルから離す操作を停止指示操作としてもよい。またユーザインタフェース３００が液晶ディスプレイと物理キーとに分かれて構成される場合は、画像のスクロールを行なう機能を与えられた物理キーから、ユーザが指を離す操作を停止指示操作とすることができる。
【００４２】
しかしながら項目の数がより多くなると、ユーザがスクロールにより目的とする項目に辿り着くまでに、より多くのページ数をスクロールさせる必要がある。そのためより多くの時間を要するのみならず、ユーザが注意力を削がれ、目的の項目があったにも関わらず、その項目を通り過ぎてスクロールさせてしまう場合もある。
そこで本実施の形態では、制御装置４００が、ユーザインタフェース３００に表示される画像をスクロールさせる速度の制御を以下のようにすることで、この問題の抑制を図っている。なお詳しくは後述するが、制御装置４００は、スクロールによる画像の移動の速度の制御を行なう移動制御部として機能する。
【００４３】
＜制御装置４００の説明＞
図５は、制御装置４００の機能構成例を示したブロック図である。なお図５では、制御装置４００が有する種々の機能のうち本実施の形態に関係するものを選択して図示している。
図示するように本実施の形態の制御装置４００は、ユーザインタフェース３００に表示する項目を決定する表示項目決定部４０１と、移動指示操作および停止指示操作を判断する指示操作判断部４０２と、スクロールの移動速度を決定する移動速度決定部４０３と、ユーザの視線を判断する視線判断部４０４と、ユーザインタフェース３００に表示する画像を制御する表示制御部４０５とを備える。
【００４４】
表示項目決定部４０１は、画像形成装置１の動作に応じてユーザインタフェース３００に表示する項目を決定する。ここではユーザが画像形成装置１を使用してファクシミリを行なうことを選択し、これにより図４で示したような項目を決定した場合について説明を行なう。
【００４５】
指示操作判断部４０２は、ユーザインタフェース３００に対するユーザの操作の情報からユーザが移動指示操作を入力したか否かを判断する。この場合、指示操作判断部４０２は、例えば、ユーザがタッチパネルに対しスワイプする操作を行なったか否かを判断する。また指示操作判断部４０２は、例えば、画像のスクロールを行なう機能を与えられた物理キーを、ユーザが押下する操作を行なったか否かを判断する。
また指示操作判断部４０２は、ユーザインタフェース３００に対するユーザの操作の情報からユーザが停止指示操作を入力したか否かを判断する。この場合、指示操作判断部４０２は、例えば、ユーザがタッチパネルから指を離したか否かを判断する。また指示操作判断部４０２は、例えば、画像のスクロールを行なう機能を与えられた物理キーに対しユーザが押下を解除したか否かを判断する。
【００４６】
移動速度決定部４０３は、ユーザインタフェース３００に複数の項目をスクロールにより移動させるときに、スクロールの速度を決定する。
【００４７】
視線判断部４０４は、検知装置５００（図１参照）で検出したユーザの視線に関する情報を取得する。そして視線判断部４０４は、ユーザが何れの箇所を見ているかを判断する。
【００４８】
表示制御部４０５は、表示項目決定部４０１で決定された項目をユーザインタフェース３００にて表示する制御を行なう。またユーザが移動指示操作を入力した場合は、移動速度決定部４０３で決定された速度により画像をスクロールさせる制御を行なう。そしてユーザが停止指示操作を入力した場合は、画像のスクロールを停止する制御を行なう。実際には、表示制御部４０５は、予め定められた時間間隔でユーザインタフェース３００にて表示する画像の画像データを生成し、その画像データをユーザインタフェース３００に対し順次出力する。
【００４９】
＜制御装置４００の動作の説明＞
［第１の実施形態］
次に制御装置４００の動作の第１の実施形態について説明を行なう。
図６は、制御装置４００の動作の第１の実施形態について説明したフローチャートである。また図７（ａ）〜（ｄ）は、ユーザインタフェース３００に表示される画像の一例を示した図である。なお図７中において実線矢印はスクロール方向を示し、点線矢印は、ユーザの視線を示すものとする。
【００５０】
まず表示項目決定部４０１が、ユーザインタフェース３００に表示する項目を決定する（ステップ１０１）。
【００５１】
このときユーザインタフェース３００には、例えば、図７（ａ）で示した画像が表示される。なお図７（ａ）は、図４と同様の図である。
【００５２】
次に指示操作判断部４０２が、ユーザインタフェース３００がユーザからの移動指示操作を受け付けたか否かを判断する（ステップ１０２）。
【００５３】
そしてユーザインタフェース３００が移動指示操作を受け付けていない場合（ステップ１０２でＮｏ）、ステップ１０１に戻る。一方、ユーザインタフェース３００が移動指示操作を受け付けた場合（ステップ１０２でＹｅｓ）、移動速度決定部４０３が標準の速度（第１の速度）を選択し、これを移動の速度とする（ステップ１０３）。そして表示制御部４０５が、標準の速度（第１の速度）にて画像をスクロールにより移動させつつ、項目をユーザインタフェース３００にて順次表示する制御を行なう（ステップ１０４）。
【００５４】
このときユーザインタフェース３００には、図７（ｂ）で示したスクロールにより移動する画像が表示される。
【００５５】
画像をスクロールにより移動させているとき、指示操作判断部４０２が、ユーザインタフェース３００がユーザからの移動指示操作として停止指示操作を受け付けたか否かを判断する（ステップ１０５）。
【００５６】
そしてユーザインタフェース３００が停止指示操作を受け付けた場合（ステップ１０５でＹｅｓ）、表示制御部４０５は、スクロールによる移動を停止する制御を行なう（ステップ１０６）。
一方、ユーザインタフェース３００が停止指示操作を受け付けていない場合（ステップ１０５でＮｏ）、次のステップ１０７に移る。
【００５７】
次に視線判断部４０４は、検知装置５００で検出したユーザの視線に関する情報を取得する（ステップ１０７）。さらに視線判断部４０４は、ユーザの見ている箇所を判断する（ステップ１０８）。
【００５８】
さらに視線判断部４０４は、ユーザインタフェース３００を見ており、さらにこの視線が変化しているか否かを判断する（ステップ１０９）。なおここで視線の変化とは、ユーザが見ている位置が変化することに限られるものではない。例えば、瞳孔の拡大、視点の急激な変化、凝視等も視線の変化として扱ってもよい。
【００５９】
そしてユーザのユーザインタフェース３００への視線が変化していない場合（ステップ１０９でＮｏ）、ステップ１０５に戻る。
一方、ユーザのユーザインタフェース３００への視線が変化した場合（ステップ１０９でＹｅｓ）、表示制御部４０５は、ユーザの視線に対応する項目（ユーザが見ていた項目）をユーザインタフェース３００のスクロール方向（この場合、図中上下方向）における中央部に位置させ、スクロールによる移動を停止する制御を行なう（ステップ１１０）。
【００６０】
このとき図７（ｃ）で示した画像においてユーザの視線の変化があったとする。そしてこのときユーザは、点線矢印の先の「ＨＩＴ商事」の項目を見ていたとする。この場合、ユーザインタフェース３００には、図７（ｄ）で示したようにユーザの視線に対応する項目（ユーザが見ていた「ＨＩＴ商事」の項目）が図中上下方向における中央部に位置するように戻され、スクロールが停止する。
【００６１】
また画像の移動を停止した後、指示操作判断部４０２は、ユーザインタフェース３００がユーザによる移動指示操作をさらに受け付けたか否かを判断する（ステップ１１１）。
【００６２】
そしてユーザインタフェース３００が移動指示操作を受け付けていない場合（ステップ１１１でＮｏ）、処理を終了する。
一方、ユーザインタフェース３００がユーザからの移動指示操作をさらに受け付けた場合（ステップ１１１でＹｅｓ）、移動速度決定部４０３が、標準の速度（第１の速度）より速い高速度（第２の速度）を選択し、これを移動の速度とする（ステップ１１２）。そして表示制御部４０５が、画像に対するユーザの視線が変化した時点で表示していた画像まで、標準の速度（第１の速度）より速い高速度（第２の速度）にて移動する制御を行なう（ステップ１１３）。なおユーザの視線が変化した時点で表示していた画像までスクロールを行なった後は、ステップ１０３に戻る。即ち、表示制御部４０５は、標準の速度（第１の速度）に戻してスクロールによる画像の移動を継続する。
【００６３】
第１の実施形態において制御装置４００は、画像を移動させているときに画像に対するユーザの視線が変化した場合は、移動の速度を標準の速度（第１の速度）より遅くする（この場合、停止する）制御を行なう。これによりスクロールすることにより画像が移動しているときに、ユーザが関心のある項目の位置で画像が停止し、ユーザが目的の項目を探しやすくなる。また停止したときに表示されている項目がユーザが探していた項目でなかったときは、ユーザが移動指示操作を再び行なうことで、スクロールによる移動を再開することができる。そしてこのときは、ユーザの視線が変化した時点で表示していた画像まで、高速度（第２の速度）にて移動する。これによりユーザが目的の項目を探す時間が短くなる。
【００６４】
［第２の実施形態］
次に制御装置４００の動作の第２の実施形態について説明を行なう。
図８は、制御装置４００の動作の第２の実施形態について説明したフローチャートである。また図９（ａ）〜（ｂ）は、ユーザインタフェース３００に表示される画像の一例を示した図である。なお図９中において実線矢印はスクロール方向を示し、点線矢印は、ユーザの視線を示すものとする。
【００６５】
なお図８でステップ２０１〜ステップ２０９の処理は、ステップ１０１〜ステップ１０９の処理と同様であるので説明を省略する。
【００６６】
ステップ２０９において、ユーザのユーザインタフェース３００への視線が変化した場合（ステップ２０９でＹｅｓ）、移動速度決定部４０３が、標準の速度（第１の速度）より遅い低速度（第３の速度）を選択し、これを移動の速度とする（ステップ２１０）。そして表示制御部４０５が、低速度（第３の速度）にて画像をスクロールにより移動させつつ、項目をユーザインタフェース３００にて順次表示する制御を行なう（ステップ２１１）。
【００６７】
このときユーザインタフェース３００には、図９（ａ）で示した低速度スクロールにより移動する画像が表示される。
【００６８】
一方、ステップ２０９において、ユーザのユーザインタフェース３００への視線が変化しない場合（ステップ２０９でＮｏ）、視線判断部４０４は、ユーザの視線が変化していない状態で予め定められた時間経過したか否かを判断する（ステップ２１２）。
【００６９】
そして予め定められた時間経過していない場合（ステップ２１２でＮｏ）、ステップ２０９に戻る。一方、予め定められた時間経過していた場合（ステップ２１２でＹｅｓ）、移動速度決定部４０３が、標準の速度（第１の速度）より速い高速度（第４の速度）を選択し、これを移動の速度とする（ステップ２１３）。そして表示制御部４０５が、高速度（第４の速度）にて画像をスクロールにより移動させつつ、項目をユーザインタフェース３００にて順次表示する制御を行なう（ステップ２１１）。以後、ステップ２０５に戻る。
【００７０】
このときユーザインタフェース３００には、図９（ｂ）で示した高速度スクロールにより移動する画像が表示される。
【００７１】
第２の実施形態において制御装置４００は、画像を移動させているときに画像に対するユーザの視線の変化があるか否かにより移動の速度を変化させる。
例えば、リストの後半の方にある項目までスクロールにより画像を移動する場合、ユーザは前半部分には関心はないが、後半部分に近付いてくると探したい項目を探そうとし注意し始める。このときのユーザの視線は、前半部分では変化しないが、後半部分ではユーザインタフェース３００上で見る箇所が変化することにより変化する。
【００７２】
このときリストの前半部分では、ユーザのユーザインタフェース３００への視線が予め定められた時間変化しない。この場合、制御装置４００は、移動の速度を標準の速度（第１の速度）より速い高速度（第４の速度）とする。これによりユーザが目的の項目を探す時間が短くなる。
またリストの後半部分では、画像を移動させているときに画像に対するユーザの視線が変化する。この場合、制御装置４００は、移動の速度を標準の速度（第１の速度）より遅くする（この場合、第３の速度とする）制御を行なう。これによりスクロールすることにより画像が移動しているときでも、ユーザが関心のある項目の箇所で画像がより遅く移動し、ユーザが目的の項目を探しやすくなる。
【００７３】
なお上述した例では、情報処理装置として画像形成装置１を例に採り説明を行なったがこれに限るものではない。即ち、複数の項目を含む情報を画像として表示し、この画像をスクロールにより移動することで表示する装置であれば、本実施の形態の適用が可能である。例えば、項目として名前、電話番号、メールアドレス等からなる電話帳を表示する携帯電話、スマートフォン、タブレットのような機器や、スプレッドシートを表示する表計算ソフトウェアが動作するＰＣのような機器に対しても適用できる。
【００７４】
また上述した例では、検知装置５００と情報処理装置である画像形成装置１とを別体として設け、情報処理システムＳを構成していたが、例えば、検知装置５００を画像形成装置１に内蔵させ、一体としてもよい。
【符号の説明】
【００７５】
１…画像形成装置、２０…画像形成部、３０…中間転写ユニット、４０…二次転写ユニット、４５…定着装置、１００…画像読取装置、２００…画像記録装置、３００…ユーザインタフェース、４００…制御装置、４０１…表示項目決定部、４０２…指示操作判断部、４０３…移動速度決定部、４０４…視線判断部、４０５…表示制御部、５００…検知装置、Ｓ…情報処理システム
【図１】
2020109683.tif 000003
【図２】
2020109683.tif 000004
【図３】
2020109683.tif 000005
【図４】
2020109683.tif 000006
【図５】
2020109683.tif 000007
【図６】
2020109683.tif 000008
【図７】
2020109683.tif 000009
【図８】
2020109683.tif 000010
【図９】
2020109683.tif 000011